(57)【特許請求の範囲】
【請求項１】
パネル部材を建物下地材に取り付けるパネル部材の取付構造であって、前記建物下地材は、断面コ字状の間柱の底板であり、前記パネル部材と前記建物下地材との間に配置され、それらの間を止水する止水部材と、前記パネル部材を前記建物下地材に結合する締結部材とを備え、前記建物下地材には、前記締結部材の締め付け時に前記パネル部材が前記止水部材を押し潰すことにより前記建物下地材に向けて移動したとき、前記パネル部材が所定の位置を越えて移動することを規制するための規制手段が設けられているとともに、
前記建物下地材及び前記止水部材にはそれぞれ互いに対応する位置に前記締結部材が挿通される挿通孔が形成されており、前記締結部材はその前記止水部材から突出した端部で前記パネル部材に係止されており、前記規制手段は、前記建物下地材に前記挿通孔の近傍で形成され前記パネル部材に向けて突出する凸部であり、該凸部の突出量は前記止水部材の厚さ寸法よりも小さくなるように設定されていることを特徴とするパネル部材の取付構造。
【請求項２】
前記凸部は前記挿通孔の前記建物下地材の長手方向の両側にそれぞれ形成されていることを特徴とする請求項１に記載のパネル部材の取付構造。
【請求項３】
前記凸部は前記建物下地材の長手方向に伸びることを特徴とする請求項１に記載のパネル部材の取付構造。
【請求項４】
パネル部材を建物下地材に取り付けるパネル部材の取付構造であって、前記建物下地材は、断面コ字状の間柱の底板であり、前記パネル部材と前記建物下地材との間に配置され、それらの間を止水する止水部材と、前記パネル部材を前記建物下地材に結合する締結部材とを備え、前記建物下地材には、前記締結部材の締め付け時に前記パネル部材が前記止水部材を押し潰すことにより前記建物下地材に向けて移動したとき、前記パネル部材が所定の位置を越えて移動することを規制するための規制手段が設けられているとともに、
前記建物下地材及び前記止水部材にはそれぞれ互いに対応する位置に前記締結部材が挿通される挿通孔が形成されており、前記締結部材はその前記止水部材から突出した端部で前記パネル部材に係止されており、前記規制手段は前記挿通孔の縁部から前記パネル部材に向けて立ち上がる立上り部であり、該立上り部の突出量は前記止水部材の厚さ寸法よりも小さくなるように設定されていることを特徴とするパネル部材の取付構造。
【発明の詳細な説明】
【技術分野】
【０００１】
本発明は、外壁パネルのようなパネル部材を間柱のような建物下地材に取り付ける取付構造に関する。
【背景技術】
【０００２】
従来、例えば建物の間柱に外壁パネルを取り付ける取付構造として、間柱の長手方向に互いに間隔をおいて設けられた締結部材である複数のリベットにより外壁パネルが間柱に結合された取付構造が知られている（例えば、特許文献１参照。）。間柱及び外壁パネル間には、それらの間を止水するための弾性変形可能なシート状の止水部材が設けられている。
【０００３】
外壁パネルを間柱に取り付ける際、各リベットをそれぞれ間柱にその屋内側から貫通させ、各リベットの一端部に形成されたフランジ部を間柱にその屋内側から係止する。続いて、間柱から突出した各リベットの他端部を止水部材に貫通させ、各リベットの先端に形成された係止部を外壁パネルに係止する。更に、各リベットの締付け作用により、外壁パネルを止水部材に押し付ける。これにより、外壁パネル及び間柱間に止水性が確保された状態で外壁パネルを間柱に取り付けることができる。
【０００４】
この取付構造では、各リベットが過剰に締め付けられたとき、止水部材が外壁パネルから受ける押圧力により大きく押し潰されるため、外壁パネルには間柱から離反する方向に大きな弾性反力が止水部材から作用する。このとき、外壁パネルの各リベットが係止された部分以外の各中間部分は止水部材に押し付けられていないため、該各中間部分では前記弾性反力が前記押圧力よりも大きくなる。このため、各中間部分が屋外へ向けて膨出してしまい、外壁パネルに波打ちが発生し、外壁パネルの前記部分における前記弾性反力が前記押圧力を大きく超える場合には外壁パネルに破損が生じる。
【０００５】
そこで、各リベットの過剰な締め付け時に止水部材から受ける弾性反力による外壁パネルの波打ち及び破損を防止するために、各リベットにスペーサを設けることが提案されている（例えば、特許文献２参照。）。スペーサは、筒状をなしており、各リベットのフランジ部上に各リベットを取り巻くように設けられている。スペーサの軸線方向の長さ寸法は、間柱の厚さ寸法よりも大きくなるように設定されている。これにより、各リベットのフランジ部がそれぞれ間柱に係止された状態ではスペーサが間柱から屋外側に突出する。
【０００６】
外壁パネルが止水部材に当接した状態で各リベットが締め付けられたとき、外壁パネルは止水部材を押し潰すことにより間柱に向けて移動し、スペーサに当接する。このとき、各リベットから外壁パネルに作用する締め付け力が各スペーサに該各スペーサをその軸線方向に圧縮する圧縮力として外壁パネルから作用して受け止められる。従って、外壁パネルの各リベットに係止された部分が止水部材を大きく押し潰すことが抑制されるので、各リベットが過剰に締め付けられた場合でも、止水部材から外壁パネルに大きな弾性反力が作用することはなく、止水部材から受ける弾性反力による外壁パネルの波打ち及び破損を抑制することができる。
【特許文献１】特開２００１−１３２１９６号公報
【特許文献２】特開２００３−１７６５７３号公報
【発明の開示】
【発明が解決しようとする課題】
【０００７】
しかしながら、スペーサの軸線方向の長さ寸法が固定されている場合、該スペーサが設けられたリベットを厚さ寸法が互いに異なる複数の間柱に用いると、スペーサのフランジ部が間柱に係止された状態で、スペーサが間柱からその屋外側へ止水部材を超えて突出したり、スペーサが間柱からその屋外側に突出することなく間柱内に埋もれたりする虞がある。スペーサが間柱からその屋外側へ止水部材を超えて突出すると、外壁パネルを止水部材に当接させることができないため、外壁パネル及び間柱間に止水性を確保することができず、また、スペーサが間柱内に埋もれると、スペーサが外壁パネルの波打ち及び破損を防止する機能を果たすことができない。
【０００８】
そこで、スペーサの長さ寸法を固定することなく、厚さ寸法が互いに異なる複数の間柱毎に、各間柱から適切な突出量で突出する長さ寸法を有するスペーサが設けられた専用のリベットを形成することが考えられる。しかしながら、この場合、部品点数が増大するため、製造コストの増大を招く。
【０００９】
そこで、本発明の目的は、製造コストの増大を招くことなく締結部材の過剰な締め付け時に建物下地材の厚さ寸法に拘らずパネル部材及び建物下地材間に止水性を確保することができ且つパネル部材の波打ち及び破損を防止することができるパネル部材の取付構造を提供することにある。
【課題を解決するための手段】
【００１０】
上記課題を解決するために、請求項１に記載の発明は、パネル部材を建物下地材に取り付けるパネル部材の取付構造であって、前記建物下地材は、断面コ字状の間柱の底板であり、前記パネル部材と前記建物下地材との間に配置され、それらの間を止水する止水部材と、前記パネル部材を前記建物下地材に結合する締結部材とを備え、前記建物下地材には、前記締結部材の締め付け時に前記パネル部材が前記止水部材を押し潰すことにより前記建物下地材に向けて移動したとき、前記パネル部材が所定の位置を越えて移動することを規制するための規制手段が設けられているとともに、前記建物下地材及び前記止水部材にはそれぞれ互いに対応する位置に前記締結部材が挿通される挿通孔が形成されており、前記締結部材はその前記止水部材から突出した端部で前記パネル部材に係止されており、前記規制手段は、前記建物下地材に前記挿通孔の近傍で形成され前記パネル部材に向けて突出する凸部であり、該凸部の突出量は前記止水部材の厚さ寸法よりも小さくなるように設定されていることを特徴とする。
【００１２】
請求項２に記載の発明は、請求項１に記載の発明において、前記凸部は前記挿通孔の前記建物下地材の長手方向の両側にそれぞれ形成されていることを特徴とする。
【００１３】
請求項３に記載の発明は、請求項１に記載の発明において、前記凸部は前記建物下地材の長手方向に伸びることを特徴とする。
【００１４】
請求項４に記載の発明は、パネル部材を建物下地材に取り付けるパネル部材の取付構造であって、前記建物下地材は、断面コ字状の間柱の底板であり、前記パネル部材と前記建物下地材との間に配置され、それらの間を止水する止水部材と、前記パネル部材を前記建物下地材に結合する締結部材とを備え、前記建物下地材には、前記締結部材の締め付け時に前記パネル部材が前記止水部材を押し潰すことにより前記建物下地材に向けて移動したとき、前記パネル部材が所定の位置を越えて移動することを規制するための規制手段が設けられているとともに、前記建物下地材及び前記止水部材にはそれぞれ互いに対応する位置に前記締結部材が挿通される挿通孔が形成されており、前記締結部材はその前記止水部材から突出した端部で前記パネル部材に係止されており、前記規制手段は前記挿通孔の縁部から前記パネル部材に向けて立ち上がる立上り部であり、該立上り部の突出量は前記止水部材の厚さ寸法よりも小さくなるように設定されていることを特徴とする。
【発明の効果】
【００１５】
請求項１に記載の発明によれば、建物下地材に、締結部材の締め付け時にパネル部材が止水部材を押し潰すことにより建物下地材に向けて移動したとき、パネル部材が所定の位置を越えて移動することを規制するための規制手段が設けられていることから、締結部材を過剰に締め付けた場合でも、パネル部材の締結部材から建物下地材に向けての締め付け力を受けた部分が止水部材を大きく押し潰すことを確実に抑制することができる。これにより、締結部材が過剰に締め付けられた場合でも、止水部材からパネル部材の前記部分以外の部分に大きな弾性反力が作用することはないので、止水部材から受ける弾性反力による従来のようなパネル部材の波打ち及び破損を確実に抑制することができる。
【００１６】
また、規制手段が建物下地材に設けられていることから、規制手段によるパネル部材への規制位置が建物下地材の厚さ寸法に応じて変化することはないので、厚さ寸法が互いに異なる複数の建物下地材にパネル部材を取り付ける場合でも、建物下地材の厚さ寸法に拘らずパネル部材及び建物下地材間に止水性が確保される適正な位置でパネル部材の移動を規制することができる。
【００１７】
従って、厚さ寸法が互いに異なる複数の建物下地材毎に専用のリベットを形成する従来の場合のような部品点数の増大を確実に防止することができるので、部品点数の増大による製造コストの増大を確実に防止することができる。
【００１８】
さらに、建物下地材及び止水部材にそれぞれ互いに対応する位置に締結部材が挿通される挿通孔が形成されており、規制手段は、建物下地材に挿通孔の近傍で形成されパネル部材に向けて突出する凸部で構成されていることから、締結部材の締め付け時にパネル部材が止水部材を押し潰すことにより凸部に当接したとき、締結部材からパネル部材に作用する締め付け力の大部分が凸部に該凸部を圧縮する圧縮力としてパネル部材から作用して受け止められる。これにより、締結部材が過剰に締め付けられた場合でも、建物下地材へ向けてのパネル部材の移動を凸部により規制することができるので、パネル部材の挿通孔の縁部により止水部材が大きく押し潰されることが抑制される。
【００１９】
また、凸部の突出量が止水部材の厚さ寸法よりも小さくなるように設定されていることから、凸部が止水部材から屋外側に突出することにより止水部材へのパネル部材の当接が妨げられることを、確実に防止することができる。これにより、パネル部材及び建物下地材間の止水性を損なうことなくパネル部材の移動を規制することができる。
【００２０】
請求項２に記載の発明によれば、凸部が挿通孔の両側にそれぞれ形成されていることから、締結部材の締め付け時にパネル部材が止水部材を押し潰すことにより各凸部に当接したとき、締結部材からパネル部材に作用する締め付け力を両凸部に該各凸部を圧縮する圧縮力として各凸部に分散して作用させることができるので、建物下地材に単一の凸部が形成された場合に比べて締め付け力をより確実に受け止めることができる。
【００２１】
請求項３に記載の発明によれば、凸部が建物下地材の長手方向に伸びることから、締結部材の締め付け時にパネル部材が止水部材を押し潰すことにより凸部に当接したとき、パネル部材を凸部により線で支持することができる。これにより、凸部が単に突起状である場合のようにパネル部材が凸部により点で支持される場合に比べてパネル部材を受ける領域が大きくなるので、締結部材の締め付け時に締結部材からパネル部材に作用する締め付け力をより確実に受け止めることができる。
【００２２】
請求項４に記載の発明によれば、建物下地材に、締結部材の締め付け時にパネル部材が止水部材を押し潰すことにより建物下地材に向けて移動したとき、パネル部材が所定の位置を越えて移動することを規制するための規制手段が設けられていることから、締結部材を過剰に締め付けた場合でも、パネル部材の締結部材から建物下地材に向けての締め付け力を受けた部分が止水部材を大きく押し潰すことを確実に抑制することができる。これにより、締結部材が過剰に締め付けられた場合でも、止水部材からパネル部材の前記部分以外の部分に大きな弾性反力が作用することはないので、止水部材から受ける弾性反力による従来のようなパネル部材の波打ち及び破損を確実に抑制することができる。
また、規制手段が建物下地材に設けられていることから、規制手段によるパネル部材への規制位置が建物下地材の厚さ寸法に応じて変化することはないので、厚さ寸法が互いに異なる複数の建物下地材にパネル部材を取り付ける場合でも、建物下地材の厚さ寸法に拘らずパネル部材及び建物下地材間に止水性が確保される適正な位置でパネル部材の移動を規制することができる。
従って、厚さ寸法が互いに異なる複数の建物下地材毎に専用のリベットを形成する従来の場合のような部品点数の増大を確実に防止することができるので、部品点数の増大による製造コストの増大を確実に防止することができる。
そのうえ、建物下地材及び止水部材にはそれぞれ互いに対応する位置に締結部材が挿通される挿通孔が形成されており、規制手段は挿通孔の縁部からパネル部材に向けて立ち上がる立上り部で構成されていることから、締結部材の締め付け時にパネル部材が止水部材を押し潰すことにより立上り部に当接したとき、締結部材からパネル部材に作用する締め付け力の大部分が立上り部に該立上り部を圧縮する圧縮力としてパネル部材から作用して受け止められる。これにより、締結部材が過剰に締め付けられた場合でも、建物下地材へ向けてのパネル部材の移動を立上り部により規制することができるので、パネル部材の挿通孔の縁部により止水部材が大きく押し潰されることが抑制される。
【００２３】
また、立上り部の突出量が止水部材の厚さ寸法よりも小さくなるように設定されていることから、立上り部が止水部材から屋外側に突出することにより止水部材へのパネル部材の当接が妨げられることを、確実に防止することができる。これにより、パネル部材及び建物下地材間の止水性を損なうことなくパネル部材の移動を規制することができる。
【発明を実施するための最良の形態】
【００２４】
本発明を図示の実施例に沿って説明する。
【実施例】
【００２５】
図１は、パネル部材である外壁パネル１１を建物下地材である間柱１２に取り付ける取付構造１０に本発明を適用した例を示す。
【００２６】
間柱１２は、従来よく知られているように、外壁パネル１１を支持するために図示しない柱間に配置される小柱である。間柱１２は、図示の例では、外壁パネル１１が取り付けられる長尺状の底板１３と、該底板の幅方向の両縁部から屋内側（図１で見て下側である。）に向けて立ち上がる一対の側板１４（図１には、一方の側板１４が示されている。）とを備え、コ字状の横断面を有する鋼製の部材からなる。間柱１２の底板１３には、図１及び図２に示すように、後述するリベットの挿通を許す複数の挿通孔１５が底板１３の幅方向及び長手方向に互いに間隔をおいて形成されている。
【００２７】
外壁パネル１１は、例えば硬質木片セメント板及びＡＬＣ板等のように無機質パネルからなる。外壁パネル１１の間柱１２側に位置する裏面１１ａには、図１に示すように、前記リベットを受け入れるための複数の凹部１６（図１には、一つの凹部１６が示されている。）が形成されている。各凹部１６は、それぞれ間柱１２の各挿通孔１５に対応する位置に配置されている。
【００２８】
また、外壁パネル１１の裏面１１ａには、間柱１２への外壁パネル１１の取付けのための複数の取付板１７がそれぞれ各凹部１６を塞ぐように設けられている。各取付板１７は、図示の例では、金属製の板部材からなり、複数の針状部材１８により外壁パネル１１の裏面１１ａに固定されている。各取付板１７には、それぞれ前記リベットの挿通を許す挿通孔１９が形成されている。これにより、各凹部１６はそれぞれ各取付板１７の挿通孔１９で間柱１２の底板１３に向けて開放する。
【００２９】
外壁パネル１１と間柱１２との間には、それらの間を止水するための止水部材２０が設けられている。止水部材２０は、図示の例では、弾性変形可能な合成ゴムシートからなり、間柱１２の底板１３を覆う大きさを有する。止水部材２０は、例えば図示しない接着剤により間柱１２の底板１３に接着されている。止水部材２０には、間柱１２の底板１３の各挿通孔１５に整合する複数の挿通孔２１が形成されている。
【００３０】
外壁パネル１１は、締結部材２２によりを間柱１２に結合されている。
【００３１】
締結部材２２は、図示の例では、前記したリベット２３で構成されている。リベット２３は、図３に示すように、筒状部２４と、該筒状部内に挿通された軸部２５とを備える従来よく知られたデイジーリベットで構成されている。
【００３２】
筒状部２４は、図１に示すように、間柱１２の底板１３の各挿通孔１５、止水部材２０の各挿通孔２１及び外壁パネル１１の各取付板１７の挿通孔１９を経て間柱１２、止水部材２０及び取付板１７を貫通するように配置されている。この状態では、筒状部２４の上端部２４ａは、外壁パネル１１の各凹部１６内に受け入れられている。
【００３３】
筒状部２４の下部２４ｂには、図３に示すように、該下部からその側方に張り出すフランジ部２６が形成されている。フランジ部２６の張出量は、間柱１２の底板１３に形成された各挿通孔１５の縁部１５ａ（図１参照。）に係合可能な大きさに設定されている。フランジ部２６は、筒状部２４が各挿通孔１５，１９，２１内に挿通した状態では、底板１３の各挿通孔１５の縁部１５ａに屋内側から係合している。また、筒状部２４には、該筒状部の上端２４ｃに開放し、フランジ部２６に向けて筒状部２４の軸線に沿って伸びる複数の切れ目２７が形成されている。
【００３４】
軸部２５の上端部２５ａには、球状の頭部２８が設けられている。頭部２８は、筒状部２４の上端２４ｃ上に配置されており、その径は筒状部２４の口径よりも大きくなるように設定されている。軸部２５の下端部２５ｂは、筒状部２４の下端２４ｃからその下方へ突出しており、下端部２５ｂには滑り止め加工が施されている。
【００３５】
従来よく知られているように、外壁パネル１１を間柱１２に取り付ける際、筒状部２４の上端部２４ａ及び軸部２５の頭部２８がそれぞれ外壁パネル１１の各凹部１６内に受け入れられるように、各リベット２３をそれぞれ各挿通孔１５，１９，２１に挿入し、軸部２５の下端部２５ｂを屋内側に向けて引っ張る。このとき、前記したように、軸部２５の下端部２５ｂに滑り止め加工が施されていることから、軸部２５を引っ張り易くすることができる。また、前記したように、頭部２８の径が筒状部２４の口径よりも大きいことから、軸部２５の下端部２５ｂを屋内側に向けて引っ張ったとき、頭部２８から筒状部２４に該筒状部の口径を押し広げる押圧力が作用する。この押圧力によって筒状部２４の各切れ目２７が開かれることにより、筒状部２４の上端部２４ａが外方へ向けて広がり、図１に示すように、筒状部２４の上端部２４ａが取付板１７の挿通孔１９の間柱１２側と反対側に位置する縁部１９ａに係合する。その後、軸部２５を引っ張ることにより外壁パネル１１の裏面１１ａを止水部材２０に当接させ、外壁パネル１１を止水部材２０に押し付ける。これにより、間柱１２の底板１３、止水部材２０及び外壁パネル１１の各取付板１７が、底板１３の各挿通孔１５の縁部１５ａに屋内側から係合したフランジ部２６と筒状部２４の上端部２４ａとの間に挟持される。また、軸部２５を引っ張ることにより外壁パネル１１を止水部材２０に押し付けたとき、各リベット２３の筒状部２４の上端部２４ａから外壁パネル１１に作用する引っ張り力が外壁パネル１１から止水部材２０に該止水部材２０を押し潰す押圧力として作用する。これにより、外壁パネル１１及び間柱１２間に止水性が確保される。
【００３６】
本発明に係る取付構造１０では、各リベット２３の締め付け時すなわち各軸部２５の引っ張り時に外壁パネル１１が止水部材２０を押し潰すことにより間柱１２に向けて移動したとき、外壁パネル１１が所定の位置を越えて移動することを規制するための規制手段２９が間柱１２に設けられている。
【００３７】
規制手段２９は、図示の例では、外壁パネル１１に向けて突出する複数の凸部３０で構成されている。各凸部３０は、図１及び図２に示す例では、それぞれ間柱１２から外壁パネル１１に向けて径が漸減するほぼ円錐状をなしている。また、各凸部３０は、それぞれ間柱１２の底板１３の各挿通孔１５の近傍に形成されており、図１及び図２に示す例では、各挿通孔１５のそれぞれの底板１３の長手方向の一側に形成されている。各凸部３０の突出量は、それぞれ止水部材２０の厚さ寸法よりも小さくなるように設定されている。これにより、外壁パネル１１が底板１３に取り付けられていない状態では、図４に示すように、各凸部３０の先端３０ａが止水部材２０を超えて屋外に突出することはない。
【００３８】
外壁パネル１１が各リベット２３により止水部材２０に押し付けられた状態で軸部２５を更に引っ張ったとき、外壁パネル１１は、止水部材２０を押し潰しながら間柱１２に向けて移動し、図１に示すように、各凸部３０の先端３０ａに当接する。このとき、筒状部２４の上端部２４ａから外壁パネル１１に作用する引っ張り力の大部分が各凸部３０に該凸部を圧縮する圧縮力として外壁パネル１１から作用して受け止められる。これにより、軸部２５が過剰に引っ張られたときでも、間柱１２へ向けての外壁パネル１１の移動が各凸部３０により規制される。
【００３９】
このように、外壁パネル１１が間柱１２に向けて所定の位置を越えて移動することを規制するための複数の凸部３０が間柱１２の底板１３に設けられていることから、外壁パネル１１が止水部材２０に当接した状態で軸部２５を過剰に引っ張ったときでも、外壁パネル１１の各取付板１７の挿通孔１９の縁部１９ａにより止水部材２０が大きく押し潰されることを確実に抑制することができる。
【００４０】
これにより、軸部２５が過剰に引っ張られた場合でも、止水部材２０から外壁パネル１１の各挿通孔１９の縁部１９ａ以外の部分に大きな弾性反力が作用することはないので、止水部材２０から受ける弾性反力による従来のような外壁パネル１１の波打ち及び破損を確実に抑制することができる。
【００４１】
また、規制手段２９である各凸部３０がそれぞれ間柱１２の底板１３に設けられていることから、各凸部３０の突出量すなわち外壁パネル１１の規制位置が間柱１２の底板１３の厚さ寸法に応じて変化することはない。これにより、底板１３の厚さ寸法が互いに異なる複数の間柱１２に外壁パネル１１を取り付ける場合でも、間柱１２の底板１３の厚さ寸法に拘らず外壁パネル１１及び間柱１３に止水性が確保される適正な位置で外壁パネル１１の移動を規制することができる。
【００４２】
従って、底板１３の厚さ寸法が互いに異なる複数の間柱１２毎に専用のリベットを形成する従来の場合のような部品点数の増大を確実に防止することができるので、部品点数の増大による製造コストの増大を確実に防止することができる。
【００４３】
また、前記したように、各凸部３０の突出量は、それぞれ該各凸部の先端３０ａが間柱１２の底板１３上に配置された止水部材２０から突出しない大きさに設定されていることから、各凸部３０が止水部材２０から屋外側に突出することにより止水部材２０への外壁パネル１１の当接が妨げられることを、確実に防止することができる。これにより、外壁パネル１１及び間柱１２間の止水性を損なうことなく外壁パネル１１の移動を規制することができる。
【００４４】
本実施例では、各凸部３０がそれぞれ各挿通孔１５のそれぞれの底板１３の長手方向の一側に形成された例を示したが、これに代えて、図５（ａ）及び図５（ｂ）に示すように、各凸部３０をそれぞれ各挿通孔１５の底板１３の長手方向の両側に形成することができる。
【００４５】
この場合、各リベット２３の軸部２５の引っ張り時に外壁パネル１１が止水部材２０を押し潰すことにより各凸部３０に当接したとき、筒状部２４の上端部２４ａから外壁パネル１１に作用する引っ張り力を各凸部３０に該各凸部を圧縮する圧縮力として各凸部３０に分散して作用させることができる。これにより、各凸部３０がそれぞれ各挿通孔１５の一側に形成された場合に比べて前記引っ張り力をより確実に受け止めることができる。
【００４６】
図５に示す例では、各凸部３０がそれぞれ各挿通孔１５の底板１３の長手方向の両側に形成された例を示したが、これに代えて、図示しないが、各凸部３０をそれぞれ各挿通孔１５の底板１３の幅方向の両側に形成することができる。
【００４７】
また、図１乃至図５に示す例に代えて、図６（ａ）及び図６（ｂ）に示すように、各凸部３０を間柱１２の底板１３の長手方向に伸びるように形成することができる。各凸部３０は、図６（ａ）に示す例では、それぞれ間柱１２の底板１３の幅方向で対向する一対の縁部１３ａに該各縁部に沿って伸びるように形成されている。
【００４８】
この場合、各リベット２３の軸部２５の引っ張り時に外壁パネル１１が止水部材２０を押し潰すことにより各凸部３０に当接したとき、外壁パネル１１を各凸部により線で支持することができる。これにより、各凸部３０が単に突起状である場合のように外壁パネル１１が各凸部３０により点で支持される場合に比べて外壁パネル１１を受ける領域が大きくなる。従って、各リベット２３の軸部２５の引っ張り時に筒状部２４の上端部２４ａから外壁パネル１１に作用する引っ張り力をより確実に受け止めることができる。
【００４９】
また、本実施例では、外壁パネル１１が間柱１２に向けて所定の位置を越えて移動することを規制するための規制手段２９が凸部３０で構成された例を示したが、これに代えて、図７（ａ）及び図７（ｂ）に示すように、規制手段２９を、間柱１２の底板１３の各挿通孔１５の縁部１５ａから屋外に向けて立ち上がる立上り部３１で構成することができる。
【００５０】
各立上り部３１は、底板１３の各挿通孔１５を取り巻いて配置された円筒状をなしており、底板１３への各挿通孔１５の形成時に例えば従来よく知られたバーリング加工を施すことにより底板１３に形成される。各立上り部３１の突出量は、それぞれ止水部材２０の厚さ寸法よりも小さくなるように設定されている。これにより、外壁パネル１１が底板１３に取り付けられていない状態では、各凸部３０と同様に、各立上り部３１の先端３１ａが止水部材２０を超えて屋外に突出することはない。
【００５１】
図７に示す例によれば、各リベット２３の軸部２５の引っ張り時に外壁パネル１１が止水部材２０を押し潰すことにより各立上り部３１に当接したとき、各リベット２３の筒状部２４の上端部２４ａから外壁パネル１１に作用する引っ張り力の大部分が各立上り部３１に該各立上り部を圧縮する圧縮力として外壁パネル１１から作用して受け止められる。
【００５２】
これにより、各リベット２３の軸部２５が過剰に引っ張られた場合でも、間柱１２へ向けての外壁パネル１１の移動を各立上り部３１により規制することができるので、外壁パネル１１の各取付板１７の各挿通孔１９の縁部１９ａにより止水部材２０が大きく押し潰されることが抑制される。
【００５３】
また、前記したように、各立上り部３１の突出量は、その先端３１ａが底板１３上に配置された止水部材２０から突出しない大きさに設定されていることから、各立上り部３１が止水部材２０から屋外側に突出することにより止水部材２０への外壁パネル１１の当接が妨げられることを、確実に防止することができる。これにより、外壁パネル１１及び間柱１２間の止水性を損なうことなく外壁パネル１１の移動を規制することができる。
【００５４】
更に、本実施例では、外壁パネル１１を間柱１２に取り付ける取付構造１０に本発明を適用した例を示したが、これに代えて、外壁パネル１１を壁枠材のように間柱１２以外の建物下地材に取り付ける取付構造、床パネルのように外壁パネル１１以外のパネル部材を間柱１２に取り付ける取付構造及び外壁パネル１１以外のパネル部材を間柱１２以外の建物下地材に取り付ける取付構造に、本発明を適用することができる。
【図面の簡単な説明】
【００５５】
【図１】本発明に係る間柱に外壁パネルが取り付けられた状態を概略的に示す縦断面図である。
【図２】本発明に係る間柱を概略的に示す平面図である。
【図３】本発明に係るリベットを概略的に示す斜視図である。
【図４】本発明に係る外壁パネルを間柱に取り付ける前の状態を概略的に示す縦断面図である。
【図５】（ａ）は図１乃至図４に示す例とは別の間柱の実施例を概略的に示す平面図であり、（ｂ）は（ａ）のI−I線に沿った縦断面図である。
【図６】（ａ）は図１及び図５に示す例とは別の間柱の実施例を概略的に示す平面図であり、（ｂ）は（ａ）のII−II線に沿った横断面図である。
【図７】（ａ）は図１乃至図６に示す例とは別の間柱の実施例を概略的に示す平面図であり、（ｂ）は（ａ）のIII−III線に沿った縦断面図である。
【符号の説明】
【００５６】
１０  取付構造
１１  パネル部材（外壁パネル）
１２  建物下地材（間柱）
１５，２１  挿通孔（間柱の底板及び止水部材に形成された挿通孔）
２０  止水部材
２３  締結部材（リベット）
２９  規制手段
３０  凸部
３１  立上り部
【図１】
0004772578.tif 000002
【図２】
0004772578.tif 000003
【図３】
0004772578.tif 000004
【図４】
0004772578.tif 000005
【図５】
0004772578.tif 000006
【図６】
0004772578.tif 000007
【図７】
0004772578.tif 000008